(57)【要約】      （修正有）【課題】持ち手を二つ備えた塗料容器に取り付けることで塗装具の持ち運びを容易にし、かつ、中の塗料を誤ってこぼすことを防止することができる塗装具保持部材を提供する。【解決手段】塗装具保持部材１は、二つの持ち手を備えた塗料容器に取り付けられるものであり、二つの持ち手の一方を嵌合させる第一嵌合溝１０と、二つの持ち手のもう一方を嵌合させる第二嵌合溝２０と、塗装具を保持する保持部３０と、を備える。二つの持ち手をそれぞれ塗装具保持部材に取り付けることによって、二つの持ち手をまとめた状態で固定することができるため、誤って片方の持ち手だけを掴んで塗料容器を持ち上げ、中の塗料をこぼすことを防止することができるとともに、保持部３０に塗装具を保持させることにより塗装具を塗料容器とともに持ち運ぶことが容易にできる。【選択図】図１
0003228729.tif 000002
【実用新案登録請求の範囲】
【請求項１】
二つの持ち手を備えた塗料容器に取り付けられる塗装具保持部材であって、
前記二つの持ち手の一方を取り付ける第一係着部と、
前記二つの持ち手のもう一方を取り付ける第二係着部と、
塗装具を保持する保持部と、を備える塗装具保持部材。
【請求項２】
前記第一係着部が、前記二つの持ち手の一方を嵌合させる第一嵌合溝であり、
前記第二係着部が、前記二つの持ち手のもう一方を嵌合させる第二嵌合溝である、請求項１に記載の塗装具保持部材。
【請求項３】
前記第一嵌合溝の開口方向が、前記第二嵌合溝の開口方向の反対方向である、請求項２に記載の塗装具保持部材。
【請求項４】
前記第一嵌合溝の上端部に、溝の開口に向かって突き出した掛止部が延設されている、請求項２又は３に記載の塗装具保持部材。
【請求項５】
前記保持部が、前記第二嵌合溝の一方の側壁から溝の外側方向に立設された一対の支持部と、該一対の支持部の間に架設された係止部とを備え、
前記係止部に塗装具を係止することにより塗装具が保持される、請求項２〜４の何れか１項に記載の塗装具保持部材。
【請求項６】
前記係止部が形状を自由に変更可能な線状の金属材料で形成されている、請求項５に記載の塗装具保持部材。
【請求項７】
前記第一嵌合溝と前記第二嵌合溝とが隣接して設けられている、請求項２〜６の何れか１項に記載の塗装具保持部材。
【考案の詳細な説明】
【技術分野】
【０００１】
本考案は、刷毛やペイントローラ等の塗装具を、塗料の入った容器（バケット）に保持させるために用いられる塗装具保持部材に関する。
【背景技術】
【０００２】
従来、塗料の入ったバケツや下げ缶等の容器の縁に保持部材を取り付け、塗装作業を行う際に用いられる刷毛やペイントローラ等の塗装具を当該保持部材に保持させることによって、塗装具を容器と共に持ち運びできるようにすることが行われている。
【０００３】
例えば、特許文献１には、クリップで容器の縁に取り付けることができ、上方に突き出したＬ字形状の鉄棒に塗装具を吊るす構造を有する刷毛・筆掛け器具が開示されている。また、特許文献２には、容器の端縁に取り付けられる枠体と、塗装具の柄を挟んで指示するアーム部とを備えた塗装具保持装置が開示されている。
【先行技術文献】
【特許文献】
【０００４】
【特許文献１】特開平１０−２４４７９７号公報
【特許文献２】特開２０１８−０７９５６７号公報
【考案の概要】
【考案が解決しようとする課題】
【０００５】
ところで、塗料をいれる容器には持ち運びのために持ち手がついており、持ち運びの安定性を向上させるために、通常は容器の上縁部において左右対称となる位置に二つの持ち手が設けられている。一方で、このような容器を用いる際、持ち手が二つあることに起因して、誤って片方の持ち手のみを掴んだ状態で容器を持ち上げようとして、中の塗料をこぼしてしまうおそれがあった。
【０００６】
本考案は上述のような事情に基づいてなされたものであり、持ち手を二つ備えた塗料容器に取り付けることで塗装具の持ち運びを容易にし、かつ、中の塗料を誤ってこぼすことを防止することができる塗装具保持部材の提供を目的とする。
【課題を解決するための手段】
【０００７】
上記課題を解決するために、本考案は、二つの持ち手を備えた塗料容器に取り付けられる塗装具保持部材であって、前記二つの持ち手の一方を取り付ける第一係着部と、前記二つの持ち手のもう一方を取り付ける第二係着部と、塗装具を保持する保持部と、を備える塗装具保持部材を提供する（考案１）。
【０００８】
かかる考案（考案１）によれば、二つの持ち手をそれぞれ塗装具保持部材に取り付けることによって、二つの持ち手をまとめた状態で固定することができるため、誤って片方の持ち手だけを掴んで塗料容器を持ち上げ、中の塗料をこぼすことを防止することができるとともに、保持部に塗装具を保持させることにより塗装具を塗料容器とともに持ち運ぶことが容易にできる。
【０００９】
上記考案（考案１）においては、前記第一係着部が、前記二つの持ち手の一方を嵌合させる第一嵌合溝であり、前記第二係着部が、前記二つの持ち手のもう一方を嵌合させる第二嵌合溝であってもよい（考案２）。
【００１０】
上記考案（考案２）においては、前記第一嵌合溝の開口方向が、前記第二嵌合溝の開口方向の反対方向であることが好ましい（考案３）。
【００１１】
かかる考案（考案３）によれば、二つの持ち手が左右に動くという塗料容器の構造を利用して、塗装具保持部材の塗料容器への着脱を容易に行うことが可能となる。
【００１２】
上記考案（考案２，３）においては、前記第一嵌合溝の上端部に、溝の開口に向かって突き出した掛止部が延設されていることが好ましい（考案４）。 
【００１３】
かかる考案（考案４）によれば、第一嵌合溝の上端部に延設された掛止部が、第一嵌合溝に嵌合された持ち手に引っ掛かることにより、第一嵌合溝から持ち手が簡単に外れてしまうことを防止できる。
【００１４】
上記考案（考案２〜４）においては、前記保持部が、前記第二嵌合溝の一方の側壁から溝の外側方向に立設された一対の支持部と、該一対の支持部の間に架設された係止部とを備え、前記係止部に塗装具を係止することにより塗装具が保持されることが好ましい（考案５）。
【００１５】
かかる考案（考案５）によれば、単純な構造の保持部を第二嵌合溝に隣接して設けることができるため、塗装具保持部材の構造をコンパクトにすることができる。また、一対の支持部の間に架設された係止部に塗装具の柄を係止するだけで、塗装具を塗装具保持部材に保持させることができる。
【００１６】
上記考案（考案５）においては、前記係止部が形状を自由に変更可能な線状の金属材料で形成されていることが好ましい（考案６）。
【００１７】
かかる考案（考案６）によれば、係止部の形状を変更することにより、塗料容器内の塗料の量に応じて塗装具を保持する位置を適切に変更することができるので、塗装具の乾燥や、塗装具の柄が塗料でベタつくことを防止することができる。
【００１８】
上記考案（考案２〜６）においては、前記第一嵌合溝と前記第二嵌合溝とが隣接して設けられていることが好ましい（考案７）。
【００１９】
かかる考案（考案７）によれば、第一嵌合溝と第二嵌合溝とを一体に設けることができるため、塗装具保持部材の構造をコンパクトなものにすることができる。
【考案の効果】
【００２０】
本考案の塗装具保持部材によれば、二つの持ち手をそれぞれ塗装具保持部材に取り付けることによって、二つの持ち手をまとめた状態で固定することができるため、誤って片方の持ち手だけを掴んで塗料容器を持ち上げ、中の塗料をこぼすことを防止することができるとともに、保持部に塗装具を保持させることにより塗装具を塗料容器とともに持ち運ぶことが容易にできる。
【図面の簡単な説明】
【００２１】
【図１】本考案の一実施形態に係る塗装具保持部材を示す模式図である。
【図２】同実施形態に係る塗装具保持部材を塗料容器に取り付ける様子を示す模式図である。
【考案を実施するための形態】
【００２２】
以下、本考案の容器の実施の形態について、適宜図面を参照して説明する。以下に説明する実施形態は、本考案の理解を容易にするためのものであって、何ら本考案を限定するものではない。 
【００２３】
図１は、本考案の一実施形態に係る塗装具保持部材１を示す模式図であって、（ａ）は斜視図、（ｂ）は側面図である。塗装具保持部材１は、二つの持ち手Ｈ１，Ｈ２を備えた塗料容器Ｂに取り付けられて用いられるものであり、二つの持ち手のうちの一方の持ち手Ｈ１を嵌合させる第一嵌合溝１０と、もう一方の持ち手Ｈ２を嵌合させる第二嵌合溝２０と、塗装具を保持する保持部３０と、を備える。ここで、第一嵌合溝１０は本願考案における第一係着部の一例であり、第二嵌合溝２０は本願考案における第二係着部の一例である。
【００２４】
本実施形態の塗装具保持部剤１において、第一嵌合溝１０の開口方向は、第二嵌合溝２０の開口方向の反対方向となっている。なお、本願においては、図１における第一嵌合溝１０の開口方向を上方向として、上、上側等の表現を用いることがあり、図１における第二嵌合溝２０の開口方向を下方向として、下、下側等の表現を用いることがある。
【００２５】
第一嵌合溝１０は、平板形状の第一側壁１１と平板形状の傾斜壁１２とで構成された断面視Ｖ字溝形状を有し、その溝に塗料容器Ｂの持ち手Ｈ１を嵌合させることができるようになっている。第一側壁１１の下側端辺は傾斜壁１２の下側端辺と連接しており、第一側壁１１と傾斜壁１２との間には４５度の狭角が形成されている。
【００２６】
また、傾斜壁１２の上側端辺には、溝の開口に向かって突き出した平板形状の掛止部１３が延設されており、掛止部１３と傾斜壁１２との間には４５度の狭角が形成されている。このように第一嵌合溝１０の上端部に掛止部１３を設けることにより、第一嵌合溝１０に嵌合された持ち手Ｈ１に掛止部１３が引っ掛かり、第一嵌合溝１０から持ち手Ｈ１が簡単に外れてしまうことを防止できる。
【００２７】
第二嵌合溝２０は、それぞれ平板形状を有する底面２１、第一側壁２２及び第二側壁２３で構成された断面視コ字溝形状を有し、その溝に塗料容器Ｂの持ち手Ｈ２を嵌合させることができるようになっている。底面２１の一方の端辺は第一側壁２２の上側端辺と連接しており、第一側壁２２と底面２１との間には８０度の狭角が形成されている。また、底面２１のもう一方の端辺は第二側壁２３の上側端辺と連接しており、底面２１と第二側壁２３との間には９０度（直角）の狭角が形成されている。
【００２８】
本実施形態の塗装具保持部材１では、第一嵌合溝１０の開口方向が上方向に、第二嵌合溝２０の開口方向が下方向になっている。このように二つの嵌合溝の開口方向を逆方向にすることにより、二つの持ち手Ｈ１，Ｈ２が左右に動くという塗料容器Ｂの構造を利用して、塗装具保持部材１の塗料容器Ｂへの着脱を容易に行うことが可能となる。
【００２９】
本実施形態においては、第一嵌合溝１０と第二嵌合溝２０とが隣接して設けられており、第一嵌合溝１０の第一側壁１１は、第二嵌合溝２０の第一側壁２２としても機能している。すなわち、第一嵌合溝１０の第一側壁１１は第二嵌合溝２０の第一側壁２２でもある。このように第一嵌合溝１０及び第二嵌合溝２０を構成することにより、第一嵌合溝１０と第二嵌合溝２０とを一体に設けることができるため、塗装具保持部材の構造をコンパクトなものにすることができる。
【００３０】
保持部３０は、第二嵌合溝２０の第二側壁２３から溝の外側方向に立設された一対の支持部３１ａ，３１ｂと、その一対の支持部３１ａ，３１ｂの間に架設された係止部３２と、を備える。支持部３１ａ，３１ｂは平板形状を有し、第二嵌合溝２０の第二側壁２３の長手方向両端部から第二嵌合溝２０の溝の外側方向に立設されている。また、支持部３１ａ，３１ｂの中央付近に円形の取付孔３１１ａ，３１１ｂがそれぞれ貫設されている。係止部３２は、支持部３１ａ，３１ｂのそれぞれに設けられた取付孔３１１ａ，３１１ｂに挿通されることにより、支持部３１ａ，３１ｂの間に架設されている。このような構造とすることにより、単純な構造の保持部３０を第二嵌合溝２０に隣接して設けることができるため、塗装具保持部材１全体の構造をコンパクトにすることができる。また、一対の支持部３１ａ，３１ｂの間に架設された係止部３２に塗装具の柄を係止するだけで、塗装具を塗装具保持部材１に保持させることができる。
【００３１】
係止部３２は、形状を自由に変更可能な線状の金属材料で形成されており、例えば一般的な針金（鉄線に亜鉛メッキを施したもの）を係止部３２として用いることができる。このような材料で形成された係止部３２であれば、形状を変更することにより、塗料容器Ｂ内の塗料の量に応じて塗装具を保持する位置を上下に動かして容易に調整することができるので、塗装具の乾燥や、塗装具の柄が塗料でベタつくことを防止することができる。また、取付孔３１１ａ，３１１ｂに挿通させた係止部３２の先端部を、塗装具に柄に設けられた穴に通すことで塗装具を保持することもできる。
【００３２】
塗装具保持部材１を構成する第一嵌合溝１０、第二嵌合溝２０、保持部３０の支持部３１ａ，３１ｂは一体成形されており、例えば亜鉛メッキを施した圧延鋼板をプレス加工や折り曲げ加工等することによって量産可能である。
【００３３】
続いて、図２を参照しながら、塗装具保持部材１を二つの持ち手Ｈ１，Ｈ２を備えた塗料容器Ｂに取り付ける方法を説明する。図２は、塗装具保持部材１を塗料容器Ｂに取り付ける様子を示す模式図であり、（ａ）は塗装具保持部材１を一方の持ち手（Ｈ２）にのみ取り付けた状態、（ｂ）は塗装具保持部材１を両方の持ち手（Ｈ１，Ｈ２）に取り付けた状態である。
【００３４】
まず、図２（ａ）に示すように、塗装具保持部材１の第二嵌合溝２０を、塗料容器Ｂの持ち手Ｈ２に上から被せるようにして取り付ける。続いて、塗料容器Ｂの持ち手Ｈ２をもう一方の持ち手Ｈ１の方向（図２における左方向）に少し倒し、塗装具保持部材１の第一嵌合溝１０に対して持ち手Ｈ１を上から押し込むようにして取り付ける。このとき、第一嵌合溝１０の掛止部１３が持ち手Ｈ１に引っ掛かり、塗装具保持部材１によって二つの持ち手Ｈ１，Ｈ２をまとめた状態で固定することができる。第一嵌合溝１０の掛止部１３は、代表的には持ち手Ｈ１の側面に形成されている溝に引っ掛かる。
【００３５】
塗装具保持部材１を塗料容器Ｂの持ち手Ｈ１，Ｈ２から取り外すときは、二つの持ち手Ｈ１，Ｈ２を持ち手Ｈ１の方向（図２における左方向）に倒すことにより、持ち手Ｈ１が第一嵌合溝１０の開口から外れ、続いて塗装具保持部材１を上方向に引き上げることにより、持ち手Ｈ２が第二嵌合溝２０の開口から外れる。
【００３６】
このような塗装具保持部材１によれば、二つの持ち手Ｈ１，Ｈ２をそれぞれ塗装具保持部材１に取り付けることによって、二つの持ち手Ｈ１，Ｈ２をまとめた状態で固定することができるため、誤って片方の持ち手だけを掴んで塗料容器Ｂを持ち上げ、中の塗料をこぼすことを防止することができるとともに、保持部３０に塗装具を保持させることにより塗装具を塗料容器Ｂとともに持ち運ぶことが容易にできる。
【００３７】
さらに、副次的な効果として、このような塗装具保持部材１によれば、二つの持ち手Ｈ１，Ｈ２をそれぞれ塗装具保持部材１に取り付けることによって、二つの持ち手Ｈ１，Ｈ２の位置を塗料容器Ｂの上方に固定することができるため、塗料容器Ｂの持ち運び時にいちいち持ち手Ｈ１，Ｈ２を下から上に上げる必要がなくなり、塗料容器Ｂの使い勝手を大幅に向上させることが可能となる。
【００３８】
以上、本考案について図面を参照にして説明してきたが、本考案は上記実施形態に限定されず、種々の変更実施が可能である。例えば、上記実施形態では、塗装具保持部材１が、二つの持ち手の一方を取り付ける第一係着部として第一嵌合溝１０を、もう一方を取り付ける第二係着部として第二嵌合溝２０を有しているが、これに限られるものではなく、第一係着部及び第二係着部に他の構造を採用してもよい。他の構造としては、第一係着部及び第二係着部としてマグネットを採用し、二つの持ち手のそれぞれを、磁力を用いて第一係着部及び第二係着部に取り付けるようにしてもよいし、第一係着部及び第二係着部としてクリップ形状の部材を採用し、二つの持ち手のそれぞれを挟持することにより第一係着部及び第二係着部に取り付けるようにしてもよいし、これらの組み合わせであってもよい。
【符号の説明】
【００３９】
１  塗装具保持部材
１０  第一嵌合溝
１１  第一側壁
１２  傾斜壁
１３  掛止部
２０  第二嵌合溝
２１  底面
２２  第一側壁
２３  第二側壁
３０  保持部
３１ａ，３１ｂ  支持部
３１１ａ，３１１ｂ  取付孔
３２  係止部
Ｂ  塗料容器(バケット)
Ｈ１，Ｈ２  持ち手
【図１】
0003228729.tif 000003
【図２】
0003228729.tif 000004